(57)【要約】【課題】少なくとも一方の面に画像読み取り機能を有する電子機器の画像取り込み領域を規定する指標を備えた下敷を提供すること。【解決手段】少なくとも一方の面に画像読み取り機能を有する電子機器の画像取り込み領域を規定する指標を備え、前記指標は、画像取り込み領域の縦方向の一方の位置を位置決めする縦指標部１１と、横方向の一方の位置を位置決めする横指標部１２と、前記画像取り込み領域の大きさを指定する領域指標部１０から構成されることを特徴とする下敷１である。【選択図】図２
2013199085.tif 000002
【特許請求の範囲】
【請求項１】
少なくとも一方の面に画像読み取り機能を有する電子機器の画像取り込み領域を規定する指標を備えた下敷。
【請求項２】
前記指標は、画像取り込み領域の縦方向の一方の位置を位置決めする縦指標部と、横方向の一方の位置を位置決めする横指標部と、前記画像取り込み領域の大きさを指定する領域指標部から構成されることを特徴とする請求項１に記載の下敷。
【発明の詳細な説明】
【技術分野】
【０００１】
本発明は、筆記する時に一面側に紙を置いて使用する下敷に関し、特に、画像読み取り指標付き下敷に関する。
【背景技術】
【０００２】
下敷は学習において使用頻度が高く、小中学校、高校、大学生には必須の学習用具である。また、生涯学習が叫ばれており、幅広い年齢層に亘って下敷が使用されている。下敷は一般に、硬質ポリ塩化ビニルや厚紙などで成形してあり、近年では、ポリプロピレンやポリエチレンテレフタレートを使用したものも提供されている。寸法については、一般的な大学ノートに対応したＢ５判（１８２ｍｍ＊２５７ｍｍ）サイズのものが普及している。  
また、学習と直接関係せず、児童生徒の登下校時の安全や、その他の外出時における安全を図り、自然災害などの緊急事態が発生した場合に近くの安全な場所や施設へ避難できるように、行動範囲の地図と関連付けて自然と覚えさせることができる有用な機能を付加した下敷の技術が特許文献１に開示されている。
【０００３】
また、非特許文献１には、ファイリングの基本は同じサイズに統一することが重要であり、下敷を記事などの必要部分の上に載せ定規代わりにしてその周囲を切り取ることで、切り抜きファイルの大きさを統一することが記載されている。
【先行技術文献】
【特許文献】
【０００４】
【特許文献１】特開２００７―３０７８８７号公報
【非特許文献】
【０００５】
【非特許文献１】榎本勝人「１００円文具「超仕事術」」『東洋経済新報社』第１３８〜１３９頁、２０１１年
【発明の概要】
【発明が解決しようとする課題】
【０００６】
下敷は、印刷や表示に適した形態を持つと共に、安価で大量に製造できることから、キャラクタや自社商品や印刷し、児童・生徒、顧客などに対して、配布されることが多い。しかしながら、手軽に大量製造できる反面、他との差別化を図り、キャラクタへの関心、あるいは、自社製品への関心を高めることが困難であった。  
ところで、最近のスマートホンに見られるように撮像機能を備えた携帯電子機器の普及は目覚ましいものがある。これらの携帯電子機器のユーザは、市の広報、学校便り、ＰＴＡの連絡や、手書きノート、年賀葉書の裏面の写真や版画、家計簿、種々の契約書、新聞記事などの画像を前記携帯電子機器に取り込んでいる。しかしながら、携帯電子機器で読み取られた画像は、台形補正などの補正を行う必要があるし、撮影領域もスマートホンを撮影対象にかざして得られた範囲であり、見栄えが悪いものである。  
そこで本発明の目的は、少なくとも一方の面に画像読み取り機能を有する電子機器の画像取り込み領域を規定する指標を備えた下敷を提供することである。
【課題を解決するための手段】
【０００７】
本願の請求項１に係る発明は、少なくとも一方の面に画像読み取り機能を有する電子機器の画像取り込み領域を規定する指標を備えた下敷である。  
請求項２に係る発明は、前記指標は、画像取り込み領域の縦方向の一方の位置を位置決めする縦指標部と、横方向の一方の位置を位置決めする横指標部と、前記画像取り込み領域の大きさを指定する領域指標部から構成されることを特徴とする請求項１に記載の下敷である。
【発明の効果】
【０００８】
本発明により、少なくとも一方の面に画像読み取り機能を有する電子機器の画像取り込み領域を規定する指標を備えた下敷を提供できる。
【図面の簡単な説明】
【０００９】
【図１】Ａ４判の領域を撮像する下敷きの実施形態を説明する図である。
【図２】Ａ４判のノートの右側頁を撮像する例を説明する図である。
【図３】Ａ４判のノートの左側頁を撮像する例を説明する図である。
【図４】複数種類の指標を備えた本発明の実施形態である。
【図５】Ｂ５判の領域を撮像する例を説明する図である。
【図６】官製はがきの領域を撮像する例を説明する図である。
【図７】画像読み取り対象の紙の上に画像読み取り指標付き部材を配置して画像読み取りを行う実施形態を説明する図である。
【図８】図４の実施形態をそれぞれの撮影領域毎の指標に分割して使用する形態を説明する図である。
【発明を実施するための形態】
【００１０】
以下、本発明の実施形態を図面と共に説明する。  
図１はＡ４判の領域を撮像する下敷きの実施形態を説明する図である。下敷１は背景技術において説明したように、例えば、ポリプロピレンやポリエチレンテレフタレートを使用し、寸法については、一般的な大学ノートに対応したＢ５判（１８２ｍｍ＊２５７ｍｍ）サイズのものである。図１に示されるように、下敷１の一方の面に画像読み取り指標を印刷またはシールの添付によって設ける。指標の色は特に限定されないが、黒、青、赤、など、画像読み取り機能を有する電子機器が認識可能であって人間が視認可能な色とする。
【００１１】
前記画像読み取り指標は、画像読み取り機能を有する電子機器の画像取り込み領域を規定する指標である。画像読み取り機能を有する電子機器は具体的には、例えば、スマートホンといわれる画像読み取り機能を有する携帯電話機である。なお、以下、本明細書では画像読み取り機能を有する携帯電話機を総称してスマートホンという。
【００１２】
画像読み取り指標は、画像取り込み領域の縦方向の一方の位置を位置決めする縦指標部１１と、横方向の一方の位置を位置決めする横指標部１２と、前記画像取り込み領域の大きさを指定する領域指標部１０から構成される。領域指標部１０は、バーコードやＱＲコード（登録商標）などであって、コード情報をその２次元形状によって表す。ここでコード情報とは、画像読み取り機能を有する電子機器が領域指標部１０を読み取り、読み取らせたい領域のサイズを認識するための情報である。例えば、Ａ４判、Ｂ５判、官製はがきの判、のサイズを表す情報が、領域指標部１０に２次元形状のコードとして埋め込まれている。
【００１３】
図１では、領域指標部１０にＡ４判の情報が埋め込まれているとする。縦指標部１１は、下敷１の辺１ａに平行な辺１１ｂを持つ長方形状である。横指標部１２は、下敷の辺１ｄに平行な辺１２ｃを持つ長方形状である。辺１１ｂの延長線と辺１２ｃの延長線とは直交する。また、縦指標部１１の長辺の長さ１１０と横指標部１２の長さ１２０は予め設定された設定長さとする。
【００１４】
次に、図２を用いてＡ４判の領域を撮像する例を説明する。ここでは、Ａ４判のノートの右側の任意の１頁をスマートホンに読み取らせるとする。縦指標部１１の辺１１ｂがスマートホンに読み取らせたいノートの右側頁の上側の辺２００ａに平行に接するように、かつ、横指標部１２の辺１２ｃがノートの右側の辺２００ｄに平行に接するように、下敷１を位置決めする。なお、ノートの各頁は横の一辺が綴られている。そのため、本発明において画像読み取り用の指標は下敷１の辺から所定距離離れた位置に配設されている。これによって、綴り代があっても、下敷１の指標を任意の右側頁において位置合わせできる。また、図２のようにノートの１頁を位置決めすることで、縦指標部１１と領域指標部１０と横指標部１２をスマートホンで画像認識することができる。
【００１５】
ユーザは、スマートホンを用いて、縦指標部１１と領域指標部１０と横指標部１２と、読み取りたいノートの右側の頁２００の全体が撮像できるように、該スマートホンの位置を調整する。調整ができたら、スマートホンの撮影ボタンを押す。スマートホンに備わったソフトウェアは、撮像された縦指標部１１、領域指標部１０、横指標部１２の幾何学的な情報およびコード情報を用いて、台形補正などの処理を実行することができる。
【００１６】
図３は、ノートの左側の任意の頁をスマートホンで読み取る場合である。この例では、図４の下敷１を図２の状態から１８０度回転させて用いる。縦指標部１１の辺１１ｂがスマートホンに読み取らせたいノートの左側頁２０１の下側の辺２０１ｂに平行に接するように、かつ、横指標部１２の辺１２ｃがノートの左側の辺２０１ｃに平行に接するように、下敷１を位置決めする。スマートホンで取得した画像内での領域指標部１０，縦指標部１１，横指標部１２の位置関係から、左側頁であるのか右側頁であるのかを特定することができる。
【００１７】
ユーザは、スマートホンを用いて、縦指標部１１と領域指標部１０と横指標部１２と、読み取りたいノートの左側頁２０１の全体が撮像できるように、該スマートホンの位置を調整する。調整ができたら、スマートホンの撮影ボタンを押す。スマートホンに備わったソフトウェアは、撮像された縦指標部１１、領域指標部１０、横指標部１２の情報を用いて、台形補正などの処理を実行することができる。
【００１８】
図４は複数種類の指標を備えた本発明の実施形態である。図１に示した本発明の実施形態の下敷１では、Ａ４判に対応する指標を配置した。図４では、図示されるように複数種類の指標を備えている。符号２０，２１，２２からなる指標はＢ５判、符号３０，３１，３２からなる指標は官製はがきの判に対応する指標である。図５はＢ５判のノートの頁２１０の領域を撮像する例を説明する図である。また、図６は官製はがき２２０の領域を撮像する例を説明する図である。符号２０は領域指標部、符号２１は縦指標部、符号２２は横指標部であり、また、符号３０は領域指標部、符号３１は縦指標部、符号３２は横指標部である。
【００１９】
図７は画像読み取り対象の紙の上に画像読み取り指標付き下敷を配置して画像読み取りを行う実施形態を説明する図である。下敷１の少なくとも１ｆで示される領域を透明とすることで、下敷１を読み取りたい紙面の上に置いて用いることができる。新聞紙に掲載された記事で個人的に関心のある記事をスクラップして活用されることが多い。本実施形態の下敷１を関心のある記事が収まるように新聞紙の上に載せる。画像の読み取りは前述のノートの頁の読み取りと同じように行うことができる。図８は図４の実施形態をそれぞれの撮影領域毎の指標に分割して使用する形態を説明する図である。このように一つ一つに区分することで、図７のような使用方法が容易に実施できる。なお、このような使用形態の場合、画像読み取り指標付き定規としてみることができる。
【００２０】
上述した例では、Ａ４判、Ｂ５判、官製はがきの判を例としたが、その他の判としてもよい。また、日本国の規格にとどまらず、諸外国の判としてもよい。撮影する領域のサイズを領域指標部により設定できるので、ソフトウェアによりスマートホン側で設定する必要がなく、汎用性のあるソフトウェアが実現できる。また、横指標部または縦指標部にサイズ情報を含む領域指標部を含めて構成してもよい。領域指標部１０，２０，３０には、撮像するサイズのコード情報だけでなく、例えば、広告宣伝用のＵＲＬなどを埋め込み、広告宣伝媒体としても活用できる。
【符号の説明】
【００２１】
１  下敷
１０，２０，３０  領域指標部
１１，２１，３１  縦指標部
１２，２２，２３  横指標部
【図１】
2013199085.tif 000003
【図２】
2013199085.tif 000004
【図３】
2013199085.tif 000005
【図４】
2013199085.tif 000006
【図５】
2013199085.tif 000007
【図６】
2013199085.tif 000008
【図７】
2013199085.tif 000009
【図８】
2013199085.tif 000010